(57)【要約】  【構成】  蓋体ケースに設けられたスピーカ２２は、蓋体ケースおよび本体ケースが開状態のときに露出し、蓋体ケースおよび本体ケースが閉状態のときに本体ケースによって覆われる。イヤフォンジャック２８は、常に露出する。ＣＰＵ５２は、イヤフォンマイクがイヤフォンジャック２８に装着されていないとき、ロッドアンテナ１２によって受信された音声信号をスピーカ２２から出力し、イヤフォンマイクがイヤフォンジャック２８に装着されているとき、ロッドアンテナ１２によって受信された音声信号をイヤフォンマイクから出力する。また、傾斜機構は、開状態でロッドアンテナ１２を傾斜させ、閉状態でロッドアンテナ１２の傾斜を禁止する。  【効果】  スピーカ２２を用いた通話を行うとき、電波の頭部への影響を緩和できる。また、閉状態でイヤフォンマイクを用いた通話を行うとき、ロッドアンテナの損傷を回避できる。【選択図】  図６
2005217640.tif 000002
【特許請求の範囲】
【請求項１】
傾斜可能に保持された高周波信号を捉えるためのロッドアンテナ、
第１音声出力器が設けられた第１ケース、
第１状態で前記第１音声出力器を露出させ、第２状態で前記第１音声出力器を覆う第２ケース、および
前記第２ケースが前記第１状態にあるときに前記ロッドアンテナを傾斜させ、前記第２ケースが前記第２状態にあるときに前記ロッドアンテナの傾斜を禁止する傾斜制御手段を備える、通信機。
【請求項２】
少なくとも前記第２ケースが前記第２状態のときに接続可能となる接続端子、
前記接続端子に第２音声出力器が接続されている否かを判別する判別手段、および
前記判別手段の判別結果が否定的であるとき前記第１音声出力器を前記ロッドアンテナによって捉えられた高周波信号に基づく音声信号の出力源として選択し、前記判別手段の判別結果が肯定的であるとき前記第２音声出力器を前記ロッドアンテナによって捉えられた高周波信号に基づく音声信号の出力源として選択する選択手段をさらに備える、請求項１記載の通信機。
【請求項３】
複数の外力によって前記ロッドアンテナの姿勢を保持する保持手段をさらに備え、
前記傾斜制御手段は前記第２ケースが前記第１状態のときに前記複数の外力の一部を規制する規制部材を含む、請求項１または２記載の通信機。
【請求項４】
前記保持手段は前記ロッドアンテナに複数の外力をそれぞれ与える複数の弾性体を含み、
前記複数の弾性体の少なくとも１つはバネ部材であり、
前記規制部材は前記バネ部材の隙間に挿入される端部を有する板材である、請求項３記載の通信機。
【請求項５】
前記傾斜制御手段は前記第２ケースの状態遷移に従う外力を前記板材に伝達する伝達機構を含み、
前記端部は前記伝達機構によって伝達された外力によって前記バネ部材の長さ方向に変位する、請求項４記載の通信機。
【請求項６】
前記伝達機構は前記第２ケースの状態遷移に従って回転するカムを含む、請求項５記載の通信機。
【請求項７】
前記第１ケースおよび前記第２ケースを結合し、前記第２ケースを前記第１状態と前記第２状態との間で遷移させるヒンジ機構をさらに備え、
前記カムは前記ヒンジ機構の回転に従って回転する、請求項６記載の通信機。
【請求項８】
前記第２ケースに設けられた音声入力器をさらに備え、
前記ロッドアンテナは前記音声入力器によって入力された音声信号に基づく高周波信号を送信する、請求項１ないし７のいずれかに記載の通信機。
【請求項９】
前記第１ケースは第２音声出力器をさらに備え、
前記第２音声出力器は、少なくとも前記第２状態にあるとき、前記ロッドアンテナによって捉えられた高周波信号に基づく音声信号の出力源とされることを特徴とする、請求項１記載の通信機。
【発明の詳細な説明】
【技術分野】
【０００１】
この発明は、通信機に関し、特にたとえば、折りたたみ式の携帯電話機に適用され、ロッドアンテナによって電波を送信／受信する、通信機に関する。
【背景技術】
【０００２】
従来のこの種の通信機の一例が、特許文献１に開示されている。この従来技術によれば、ロッドアンテナが引き出されるとアンテナ下端部の一側面が押圧され、ロッドアンテナが長さ方向に対して傾斜する。これによって、使用時にロッドアンテナの先端が人体頭部から離れ、通信電波（電磁波）の人体頭部への影響が緩和される。
【特許文献１】特開２００１−１８５９２４号公報［Ｈ０１Ｑ１／２４］
【発明の開示】
【発明が解決しようとする課題】
【０００３】
しかし、通信機は、イヤフォンマイク端子を有し、イヤフォンマイクをこの端子に接続すれば、いわゆるハンズフリートークが可能となる。このとき、通信機は、たとえば前面が上を向いた状態でテーブル上に置かれる。すると、従来技術では、ロッドアンテナを引き出した状態でハンズフリートークを行うときに、ロッドアンテナの先端がテーブルに接触し、アンテナ機構に損傷を与える可能性がある。
【０００４】
それゆえに、この発明の主たる目的は、アンテナ機構の損傷を防止することができる、通信機を提供することである。
【課題を解決するための手段】
【０００５】
請求項１の発明に従う通信機は、傾斜可能に保持された高周波信号を捉えるためのロッドアンテナ、第１音声出力器が設けられた第１ケース、第１状態で第１音声出力器を露出させ、第２状態で第１音声出力器を覆う第２ケース、および第２ケースが第１状態にあるときにロッドアンテナを傾斜させ、第２ケースが第２状態にあるときにロッドアンテナの傾斜を禁止する傾斜制御手段を備える。
【０００６】
高周波信号は、傾斜可能に保持されたロッドアンテナによって捉えられる。第１ケースに設けられた第１音声出力器は、第２ケースが第１状態のときに露出し、第２ケースが第２状態のときにこの第２ケースによって覆われる。傾斜制御手段は、第２ケースが第１状態にあるときにロッドアンテナを傾斜させ、第２ケースが第２状態にあるときにロッドアンテナの傾斜を禁止する。
【０００７】
第２ケースが第２状態にあるときにロッドアンテナの傾斜を禁止することで、アンテナ機能の損傷が防止される。
【０００８】
請求項２の発明に従う通信機は、請求項１に従属し、少なくとも第２ケースが第２状態のときに接続可能となる接続端子、接続端子に第２音声出力器が接続されている否かを判別する判別手段、および判別手段の判別結果が否定的であるとき第１音声出力器をロッドアンテナによって捉えられた高周波信号に基づく音声信号の出力源として選択し、判別手段の判別結果が肯定的であるとき第２音声出力器をロッドアンテナによって捉えられた高周波信号に基づく音声信号の出力源として選択する選択手段をさらに備える。
【０００９】
接続端子は、少なくとも第２ケースが第２状態のときに接続可能となる。かかる接続端子に第２音声出力器が接続されているか否かは、判別手段によって判別される。選択手段は、判別手段の判別結果が否定的であるとき、ロッドアンテナによって捉えられた高周波信号に基づく音声信号の出力源として第１音声出力器を選択する。選択手段はまた、判別手段の判別結果が肯定的であるとき、ロッドアンテナによって捉えられた高周波信号に基づく音声信号の出力源として第２音声出力器を選択する。
【００１０】
したがって、第２音声出力器が接続端子に接続されていないときは、第２ケースを第２状態から第１状態に遷移させることによって、第１音声出力器から出力される音声信号の聴取が可能となる。第２音声出力器が接続端子に接続されたときは、第２ケースの状態に関係なく、第２音声出力器から出力される音声信号の聴取が可能となる。
【００１１】
第１音声出力器から出力される音声信号を聴取するべく第２ケースを第１状態に遷移させると、ロッドアンテナが傾斜する。この結果、第１音声出力器を耳に近づけたとき、高周波信号の人体頭部への影響が緩和される。
【００１２】
また、第２音声出力器を接続端子に接続させると、音声信号は第２音声出力器から出力される。これは、第２ケースを第２状態に遷移させ、かつ通信機をテーブルに置いた状態でも、音声信号を聴取できることを意味する。そして、第２状態では、ロッドアンテナの傾斜が禁止されるため、ロッドアンテナなどのアンテナ機構の損傷が回避される。
【００１３】
請求項３の発明に従う通信機は、請求項１または２に従属し、複数の外力によってロッドアンテナの姿勢を保持する保持手段をさらに備え、傾斜制御手段は第２ケースが第１状態のときに複数の外力の一部を規制する規制部材を含む。
【００１４】
第２ケースが第１状態となると、ロッドアンテナの姿勢を保持する複数の外力の一部が、規制部材によって規制される。ロッドアンテナは、かかる規制によって傾斜する。
【００１５】
請求項４の発明に従う通信機は、請求項３に従属し、保持手段はロッドアンテナに複数の外力をそれぞれ与える複数の弾性体を含み、複数の弾性体の少なくとも１つはバネ部材であり、規制部材はバネ部材の隙間に挿入される端部を有する板材である。
【００１６】
板材の端部がバネ部材の隙間に挿入されるため、この端部をバネ部材の長さ方向に変位させることによって外力の規制が可能となる。
【００１７】
請求項５の発明に従う通信機は、請求項４に従属し、傾斜制御手段は、第２ケースの状態遷移に従う外力を板材に伝達する伝達機構を含み、端部は伝達機構によって伝達された外力によってバネ部材の長さ方向に変位する。これによって、第２ケースの状態遷移に従うロッドアンテナの傾斜制御が可能となる。
【００１８】
請求項６の発明に従う通信機は、請求項５に従属し、伝達機構は第２ケースの状態遷移に従って回転するカムを含む。カムを用いることで、板材の端部すなわちロッドアンテナの滑らかな変位が可能となる。
【００１９】
請求項７の発明に従う通信機は、請求項６に従属し、第１ケースおよび第２ケースを結合し、第２ケースを第１状態と第２状態との間で遷移させるヒンジ機構をさらに備え、カムはヒンジ機構の回転に従って回転する。
【００２０】
請求項８の発明に従う通信機は、請求項１ないし７のいずれかに従属し、第２ケースに設けられた音声入力器をさらに備え、ロッドアンテナは音声入力器によって入力された音声信号に基づく高周波信号を送信する。これによって、電話機能が実現される。
【００２１】
請求項９の発明に従う通信機は、請求項１に従属し、第１ケースは第２音声出力器をさらに備え、第２音声出力器は、少なくとも第２状態にあるとき、ロッドアンテナによって捉えられた高周波信号に基づく音声信号の出力源とされることを特徴とする。
【発明の効果】
【００２２】
この発明によれば、第２ケースが第２状態にあるときにロッドアンテナの傾斜を禁止するようにしたため、アンテナ機能の損傷が防止される。
【００２３】
この発明の上述の目的，その他の目的，特徴および利点は、図面を参照して行う以下の実施例の詳細な説明から一層明らかとなろう。
【発明を実施するための最良の形態】
【００２４】
図１（Ａ），図１（Ｂ），図２（Ａ）および図２（Ｂ）を参照して、この実施例の携帯電話機１０は、蓋体ケース１４および本体ケース１６を含む。蓋体ケース１４および本体ケース１６は、ヒンジ機構１８によって互いに連結されており、開閉動作が可能である。図１（Ａ）および図２（Ａ）が閉状態を示し、図１（Ｂ）および図２（Ｂ）が開状態を示す。
【００２５】
本体ケース１４の上端には、高周波信号を送信／受信するロッドアンテナ１２が突設される。このロッドアンテナ１２は収納式のアンテナであり、先端を引っ張ることで長さがほぼ４倍に伸びる。かかるロッドアンテナ１２を含むアンテナ機構は、蓋体ケース１４および本体ケース１６が開状態になったときに、後述する傾斜機構によって本体ケース１４から離れる方向へ傾斜する。
【００２６】
本体ケース１６の内面（閉状態で内側になる面）には、キー入力装置３０が設けられる。キー入力装置３０には、電源のオン／オフおよび通話の終了のための電源／オンフックボタン３０ａと、通話を開始するためのオフフックボタン３０ｂと、テンキーやファンクションキーを含む操作キー群３０ｃとが設けられる。
【００２７】
蓋体ケース１４の内面には凸状の加圧ピン３２が設けられ、本体ケース１６の内面には閉状態で加圧ピン３２によって押圧される感圧センサ３４が設けられる。加圧ピン３２および感圧センサ３４によって、現時点の蓋体ケース１４および本体ケース１６の状態が開状態および閉状態のいずれであるかが検知される。開状態が検知されると、ＬＣＤモニタ２０がオンされる。
【００２８】
蓋体ケース１４の内面には通話用のスピーカ２２が設けられ、本体ケース１６の内面には通話用のマイクロフォン２４が設けられる。また、蓋体ケース１４の外面には着信通知用のスピーカ２６が設けられ、本体ケース１６の側面には図７に示すイヤフォンマイク６０を装着（接続）するためのイヤフォンジャック２８が設けられる。イヤフォンマイク６０は、蓋体ケース１４および本体ケース１６の状態に関係なく、イヤフォンジャック２８に装着できる。
【００２９】
次に、図３，図４，図５（Ａ）および図５（Ｂ）を参照して、傾斜機構について詳しく説明する。
【００３０】
図３に示すように、ヒンジ機構１８はシャフト１８ａを含む。このシャフト１８ａは、長さ方向断面の中心に埋め込まれたピン１８ｂの周りを回転する。シャフト１８ａの長さ方向一方端には、カム１８ｃが一体成形される。蓋体ケース１４および本体ケース１６の状態が閉状態と開状態との間で遷移すると、シャフト１８ａが時計回り方向または反時計回り方向に回転し、これに伴ってカム１８ｃもまた時計回り方向または反時計回り方向に回転する。
【００３１】
図４，図５（Ａ）および図５（Ｂ）から分かるように、本体ケース１６の上側面には円形の開口１６ａが形成される。この開口１６ａには、ロッドアンテナ１２をガイドする円筒状のアンテナガイド（アンテナ軸受け）３６が挿入される。なお、アンテナガイド３６の径は、開口１６ａの口径よりも小さい。
【００３２】
アンテナガイド３６は、シャフト１８ａと平行に延びるピン３６ａによって支持される。アンテナガイド３６は、ピン３６ａを基準として、アンテナガイド３６の径と開口１６ａの口径との差分に相当する角度にわたって回転することができる。
【００３３】
ただし、弾性機構３８を形成する２つのバネ３８ａおよび３８ｂが、本体ケース１６の内壁とアンテナガイド３６の外壁との間に挿入される。アンテナガイド３６の外壁には、かかるバネ３８ａおよび３８ｂの弾性力（復元力）が付加される。バネ３８ａがアンテナガイド３６に与える弾性力は、本体ケース１６の内面から背面に向かい、バネ３８ｂがアンテナガイド３６に与える弾性力は、本体ケース１６の背面から内面に向かう。アンテナガイド３６は、かかる弾性力に従う姿勢を保つ。
【００３４】
板材４０は、シャフト１８ａに平行に延びるピン４０ａによって支持され、ピン４０ａを基準として回転することができる。ただし、板材４０の長さ方向（シャフト１８ａに直交する方向）における一方端はバネ３８ａの隙間に挿入され、板材４０の長さ方向における他方端はカム１８ｃの外周面と本体ケース１６の内壁との間に挿入される。さらに、他方端のカム１８ｃに対向する面には、調整片４０ｂが取り付けられる。したがって、板材４０の回転角度は、カム１８ｃの外周面から本体ケース１６の内壁までの距離，調整片４０ｂの厚みおよび板材４０の厚みによって規定される。
【００３５】
図５（Ａ）を参照して、閉状態では、板材４０は、ピン１８ｂからカム１８ｃの外周面までの距離の関係で、自由状態となる。このとき、バネ３８ａの弾性力が板材４０によって規制されることはなく、バネ３８ａおよび３８ｂの弾性力は、アンテナガイド３６の外壁に均一に付与される。これによって、アンテナガイド３６つまりロッドアンテナ１２は、本体ケース１６の上側面から垂直に突出する。つまり、閉状態では、アンテナガイト３６およびロッドアンテナ１２は、本体ケース１６の背面と平行な正立状態（傾斜禁止状態）となる。
【００３６】
図５（Ｂ）を参照して、蓋体ケース１４および本体ケース１６の状態が閉状態から開状態に遷移すると、カム１８ｃの外周面のうちピン１８ｂから最も離れた部分が調整片４０ｂと接触する。板材４０は時計回り方向に回転し、バネ３８ａの一部（本体ケース１６の内壁と板材４０の一方端とによって挟まれた部分）が板材４０によって圧縮される。バネ３８ａがアンテナガイド３６に付与する弾性力は、バネ３８ｂがアンテナガイド３６に付与する弾性力よりも弱くなる。この結果、アンテナガイド３６は時計回り方向に回転し、アンテナガイド３６およびアンテナロッド１２は、本体ケース１４から離れる方向へ所定角度にわたって傾斜する。
【００３７】
なお、カム１８ｃ，板材４０，調整片４０ｂおよび弾性機構３８によって傾斜機構が形成され、ロッドアンテナ１２およびアンテナガイド３６によってアンテナ機構が形成される。
【００３８】
携帯電話機１０の内部構成を図６に示す。キー入力装置３０によって通話のための発呼操作が行われると、ＣＰＵ５２は、発呼データを信号処理回路４４，無線回路４２およびロッドアンテナ１２を通して相手方の電話機に送信し、呼び出し音データをＡＤ／ＤＡ変換器４６に与える。呼び出し音データはＡＤ／ＤＡ変換器４６によってアナログ信号である呼び出し音信号に変換され、変換された呼び出し音信号はアンプ５０によって増幅される。
【００３９】
イヤフォンジャック２８に何も接続されていなければ、ＣＰＵ５２は、スイッチＳＷ１およびＳＷ２を端子Ｓ１およびＳ３とそれぞれ接続する。したがって、アンプ５０によって増幅された呼び出し音信号は、スイッチＳＷ２を介してスピーカ２２から出力される。
【００４０】
一方、図７に示すイヤフォンマイク６０のコネクタ６２がイヤフォンジャック２８に装着され、コネクタ６２の端子Ｔ４，Ｔ５およびＴ６がイヤフォンジャック２８の端子Ｔ１，Ｔ２およびＴ３とそれぞれ接続されると、ＣＰＵ５２は、スイッチＳＷ１およびＳＷ２を端子Ｓ２およびＳ４とそれぞれ接続する。ＣＰＵ５２はまた、発呼操作が行われたとき、スイッチＳＷ３を端子Ｓ６と接続する。したがって、アンプ５０によって増幅された呼び出し音信号は、スイッチＳＷ２，スイッチＳＷ３，端子Ｔ２および端子Ｔ５を介してスピーカ（イヤフォン）６６から出力される。ロッドアンテナ１２から送信された発呼データを受けて相手方がオフフック操作を行うと、通話可能状態となる。
【００４１】
なお、図７に示すマイクロフォン６４および端子Ｔ４は３０センチメートル程度のケーブル６８ａによって結合され、スピーカ６６およびコネクタ６２もまた３０センチメートル程度のケーブル６８ｂによって結合される。
【００４２】
電話の着呼が発生すると、ＣＰＵ５２は、着信音信号の出力をサウンドジェネレータ５４に命令する。サウンドジェネレータ５４は、着信音信号を出力する。イヤフォンジャック２８に何も装着されていないとき、ＣＰＵ５２はスイッチＳＷ４をオンする。着信音信号は、スピーカ２６から出力される。一方、イヤフォンマイク６０のコネクタ６２がイヤフォンジャック２８に装着されていれば、ＣＰＵ５２は、スイッチＳＷ４をオフし、さらに着呼の発生に応答してスイッチＳＷ３を端子Ｓ５と接続する。着信音信号は、スイッチＳＷ３，端子Ｔ２および端子Ｔ５を介してスピーカ６６から出力される。キー入力装置３０によってオフフック操作が行われると、通話可能状態となる。
【００４３】
通話可能状態となった後に音声信号が取り込まれると、この音声信号はアンプ４８によって増幅される。増幅された音声信号は、ＡＤ／ＤＡ変換回路４６によってディジタル信号である音声データに変換される。変換された音声データは、信号処理回路４４および無線回路４２によって符号化処理および変調処理をそれぞれ施される。無線回路４２によって生成された変調音声データ（高周波信号）は、ロッドアンテナ１２から発信される。
【００４４】
相手方からの変調音声データは、ロッドアンテナ１２によって捉えられ、無線回路４２によって復調処理を施される。復調された音声データは信号処理回路４４によって復号され、復号された音声データはＡＤ／ＤＡ変換回路４６によってアナログ信号である音声信号に変換される。変換された音声信号は、アンプ５０によって増幅される。
【００４５】
イヤフォンジャック２８に何も接続されていなければ、スイッチＳＷ１およびＳＷ２は端子Ｓ１およびＳ３とそれぞれ接続される。したがって、アンプ４８にはマイクロフォン２４によって捉えられた音声信号がスイッチＳＷ１を介して与えられ、アンプ５０によって増幅された音声信号はスイッチＳＷ２を介してスピーカ２２から出力される。
【００４６】
イヤフォンマイク６０のコネクタ６２がイヤフォンジャック２８に装着されると、スイッチＳＷ１およびＳＷ２は端子Ｓ２およびＳ４とそれぞれ接続される。さらに、通話可能状態が確立されると、ＣＰＵ５２はスイッチＳＷ３を端子Ｓ６と接続する。この結果、アンプ４８には、マイクロフォン６４によって捉えられた音声信号が、端子Ｔ４，端子Ｔ１およびスイッチＳＷ１を介して与えられる。アンプ５０によって増幅された音声信号は、スイッチＳＷ２，スイッチＳＷ３，端子Ｔ２および端子Ｔ５を介してスピーカ６６から出力される。
【００４７】
イヤフォンマイク６０のコネクタ６２がイヤフォンジャック２８に装着されたか否かは、次のようにして判別される。イヤフォンジャック２８に設けられた端子Ｔ３は、電圧線ＶＬ１を介してＣＰＵ５２と接続される。電圧線ＶＬ１には、抵抗Ｒ１を介してバイアス電圧が印加される。また、コネクタ６２に設けられた端子Ｔ６は、アースと接続される。したがって、イヤフォンジャック２８に何も装着されていないときはＨレベル電圧がＣＰＵ５２に供給され、コネクタ６２がオヤフォンジャック２８に装着されたときはＬレベル電圧がＣＰＵ５２に供給される。ＣＰＵ５２は、供給された電圧のレベルに基づいてコネクタ６２の装着の有無を判別する。
【００４８】
ＣＰＵ５２は、スイッチＳＷ１，ＳＷ２およびＳＷ４の切換制御のために図８に示すスイッチ制御タスク１を実行し、スイッチＳＷ３の切換制御のために図９に示すスイッチ制御タスク２を実行する。つまりＣＰＵ２８はμＩＴＲＯＮのようなマルチタスクＯＳを搭載したマルチタスクＣＰＵであり、これらのタスクを並列的に実行する。なお、これらのタスクは、フラッシュメモリ３６に記憶される。
【００４９】
まず図８を参照して、ステップ１ではイヤフォンマイク６０が装着されたか否かを判別する。ここでＮＯであればステップＳ３に進み、スイッチＳＷ１およびＳＷ２を端子Ｓ１およびＳ３とそれぞれ接続し、スイッチＳＷ４をオンする。ステップＳ１でＹＥＳと判断されたときはステップＳ５に進み、スイッチＳＷ１およびＳＷ２を端子Ｓ２およびＳ４とそれぞれ接続し、スイッチＳＷ４をＯＦＦする。ステップＳ３またはＳ５の処理が完了すると、ステップＳ１に戻る。
【００５０】
図９を参照して、ステップＳ１１では着呼があったか否かを判別し、ステップＳ１３では発呼操作が行われたか否かを判別し、そしてステップＳ１５では通話可能状態が確立されたか否かを判別する。着呼があるとステップＳ１１でＹＥＳと判断し、ステップＳ１７でスイッチＳＷ３を端子Ｓ５と接続する。発呼操作が行われたときはステップＳ１３でＹＥＳと判断し、ステップＳ１９でスイッチＳＷ３を端子Ｓ６と接続する。通話可能状態が確立されるとステップＳ１５でＹＥＳと判断し、ステップＳ２１でスイッチＳＷ３を端子Ｓ６と接続する。ステップＳ１７，Ｓ１９またはＳ２１の処理が完了すると、ステップＳ１１に戻る。
【００５１】
以上の説明から分かるように、相手方の携帯電話機から送信された変調音声データは、傾斜可能に保持されたロッドアンテナ１２によって捉えられる。蓋体ケース１４に設けられたスピーカ２２は、蓋体ケース１４および本体ケース１６が開状態のときに露出し、蓋体ケース１４および本体ケース１６が閉状態のときに本体ケース１６によって覆われる。イヤフォンジャック２８は、少なくとも閉状態のときに露出する。かかるイヤフォンジャック２８にイヤフォンマイク６０が装着されているか否かは、ＣＰＵ５２によって判別される（ステップＳ１）。
【００５２】
ＣＰＵ５２は、イヤフォンマイク６０が装着されていないとき、ロッドアンテナ１２によって受信された変調音声データに基づく音声信号の出力源として、スピーカ２２を選択する（ステップＳ３）。ＣＰＵ５２はまた、イヤフォンマイク６０が装着されているとき、ロッドアンテナ１２によって受信された変調音声データに基づく音声信号の出力源として、スピーカ６６を選択する（ステップＳ５）。また、カム１８ｃ，板材４０，調整片４０ｂ，バネ３８ａおよび３８ｂによって形成される傾斜機構は、ロッドアンテナ１２およびアンテナガイド３６によって形成されるアンテナ機構を、開状態で傾斜状態とし、閉状態で傾斜禁止状態とする。
【００５３】
したがって、イヤフォンマイク６０がイヤフォンジャック２８に装着されていないときは、蓋体ケース１４および本体ケース１６の状態を閉状態から開状態に遷移させることによって、スピーカ２２から出力される音声信号の聴取が可能となる。イヤフォンマイク６０がイヤフォンジャック２８に装着されたときは、蓋体ケース１４および本体ケース１６の状態に関係なく、スピーカ６６から出力される音声信号の聴取が可能となる。
【００５４】
スピーカ２２から出力される音声信号を聴取するべく蓋体ケース１４および本体ケース１６を開状態に遷移させると、アンテナ機構が傾斜する。この結果、スピーカ２２を耳に近づけたとき、電波の頭部への影響が緩和される。
【００５５】
また、イヤフォンマイク６０をイヤフォンジャック２８に装着すると、音声信号はスピーカ６６から出力される。これは、蓋体ケース１４および本体ケース１６を閉状態とし、かつ携帯電話機１０をテーブルに置いた状態でも、音声信号を聴取できることを意味する。そして、閉状態では、ロッドアンテナ１２の傾斜が禁止されるため、アンテナ機構の損傷が回避される。
【００５６】
なお、この実施例では、イヤフォンマイクは蓋体ケースおよび本体ケースの状態に関係なくイヤフォンジャックに接続できるが、イヤフォンマイクは閉状態においてのみイヤフォンジャックに接続できるようにしてもよい。
【００５７】
また、この実施例では、携帯電話機を用いて説明しているが、この発明は、携帯型のラジオ受信機やテレビジョン受像機に適用することも可能である。
【００５８】
さらに、この実施例の弾性機構は複数のバネによって構成されるが、板材が挿入されるバネを除くバネを別の弾性体によって代替するようにしてもよい。また、弾性力の規制が実現できる限り、バネおよび板材以外の部材を採用するようにしてもよい。
【００５９】
さらに、この実施例の携帯電話機は折り畳み型であるが、この発明はリボルバ型またはスライド型の携帯電話機にも適用できる。リボルバ型では、蓋体ケースおよび本体ケースは主面に直交する軸によって結合され、蓋体ケースはこの軸を基点として回転する。また、スライド型では、本体ケースは蓋体ケースに嵌合し、縦方向にスライドする。
【００６０】
また、この実施例では、本体ケース１６の側面にイヤフォンジャック２８を設け、閉状態ではイヤフォンジャク２８に接続されたイヤフォンマイク６０を用いて通話を行うようにしている。しかし、少なくとも閉状態で露出するマイクロフォン（第２マイクロフォン）およびスピーカ（第２スピーカ）を蓋体ケース１４に設け、閉状態ではこの第２マイクロフォンおよび第２スピーカを通して通話を行うようにしてもよい。この場合、スイッチＳＷ１は、開状態においてマイクロフォン２４を選択し、閉状態において第２マイクロフォンを選択する。また、スイッチＳＷ２は、開状態においてスピーカ２２を選択し、閉状態において第２スピーカを選択する。なお、かかるスイッチＳＷ１およびＳＷ２の切り換えも、ＣＰＵ５２によって実行される。
【図面の簡単な説明】
【００６１】
【図１】（Ａ）はこの発明の一実施例の閉状態を示す正面図であり、（Ｂ）はこの発明の一実施例の開状態を示す正面図である。
【図２】（Ａ）は図１実施例の閉状態を示す側面図であり、（Ｂ）は図１実施例の開状態を示す側面図である。
【図３】図１実施例に適用されるヒンジ機構の一部を示す斜視図である。
【図４】図１実施例の傾斜機構を示す図解図である。
【図５】（Ａ）は閉状態における傾斜機構の状態を示す図解図であり、（Ｂ）は開状態における傾斜機構の状態を示す図解図である。
【図６】図１実施例の構成を示すブロック図である。
【図７】図１実施例に適用されるイヤフォンマイクの一例を示すブロック図である。
【図８】図１実施例に適用されるＣＰＵの動作の一部を示すフロー図である。
【図９】図１実施例に適用されるＣＰＵの動作の他の一部を示すフロー図である。
【符号の説明】
【００６２】
１０  …  携帯電話機
１２  …  ロッドアンテナ
１４  …  蓋体ケース
１６  …  本体ケース
１８  …  ヒンジ機構  
１８ｃ  …  カム
２２，２６  …  スピーカ
２４  …  マイクロフォン
３６  …  アンテナガイド
３８  …  バネ機構
４０  …  板材
【図１】
2005217640.tif 000003
【図２】
2005217640.tif 000004
【図３】
2005217640.tif 000005
【図４】
2005217640.tif 000006
【図５】
2005217640.tif 000007
【図６】
2005217640.tif 000008
【図７】
2005217640.tif 000009
【図８】
2005217640.tif 000010
【図９】
2005217640.tif 000011